(57)【要約】【課題】  部品点数及び組立工数が削減でき、組立作業性を向上すること。【解決手段】  コンタクト２１を保持するハウジング３１と、該ハウジング３１を覆うシェル４１とを含み、前記シェル４１は前記ハウジング３１覆う本体部４３と、ケーブル６１を固定するケーブル保持部４６とを有し、前記本体部４３は前記ハウジング３１を前記本体部に組み込んだ際に、折り曲げて前記ハウジング３１を前記シェル４１に固定する突部４８ａ，４９ａ，４８ｂ，４９ｂを有し、前記ハウジング３１は前記突部４８ａ，４９ａ，４８ｂ，４９ｂと係合する係合部３１ａ，３１ｂ，３１ｃ，３１ｄを有する。【選択図】  図１
2006147359.tif 000002
【特許請求の範囲】
【請求項１】
ケーブルと接続する導電性のコンタクトと、該コンタクトを保持するハウジングと、該ハウジングを覆う導電性のシェルとを含むコネクタにおいて、前記シェルは前記ハウジングの少なくとも三つの面を覆うように形成された本体部と、前記ケーブルを固定するケーブル保持部とを有し、前記本体部は前記ハウジングを前記本体部に組み込んだ際に、折り曲げて前記ハウジングを前記シェルに固定する突部を有し、前記ハウジングは前記突部と係合する係合部を有していることを特徴とするコネクタ。
【請求項２】
請求項１記載の本体部は係止部を有し、前記ハウジングは前記係止部と係合する被係止部を有し、前記係止部又は前記被係止部を有する別のコネクタと係合することにより一体化することを特徴とするコネクタ。
【請求項３】
請求項１記載の本体部は係止部を有し、別のインシュレータに形成されているランスと係合することにより前記インシュレータに前記係止部を係止することを特徴とするコネクタ。
【発明の詳細な説明】
【技術分野】
【０００１】
本発明は、ハウジングを覆い保持しているシェルを有するコネクタに関する。
【背景技術】
【０００２】
従来のコネクタには、内導体端子、誘電体ハウジング及び中継端子の３つのコネクタ部材で組み立てられた組立体を外導体シェルに挿入した後に、ケーブルを組立体に接続するものがある（例えば、特許文献１を参照）。
【０００３】
また、従来のコネクタには、内導体端子を誘電体ハウジング内に係止し、誘電体ハウジングの周囲に外導体シェルを装着し、内導体端子のケーブル接続部にケーブルを接続するものがある。外導体シェルは、誘電体ハウジングを収容する筒状部分と、後方に内導体端子のケーブル接続部を接続する圧着バレルを有している（例えば、特許文献２を参照）。
【０００４】
【特許文献１】特開２００２−３１９４５６号公報
【特許文献２】特開２００２−３３４７６４号公報
【発明の開示】
【発明が解決しようとする課題】
【０００５】
従来のコネクタでは、内導体端子、誘電体ハウジング及び中継端子の３つのコネクタ部材で組み立てられた組立体を有するものであるため、部品点数や組立工数が多くなり、組立による接続部分が多くなることにより強度が低下してしまうという問題がある。
【０００６】
また、従来のコネクタでは、内導体端子を誘電体ハウジング内に係止し、誘電体ハウジングの周囲に外導体シェルを装着し、内導体端子のケーブル接続部にケーブルを接続するものであるので、ハーネス工数が増加してしまうという問題がある。
【０００７】
それ故に、本発明の課題は、コネクタの積み重ねが簡易にできる構造を提供することにある。
【課題を解決するための手段】
【０００８】
本発明は、ケーブルと接続する導電性のコンタクトと、該コンタクトを保持するハウジングと、該ハウジングを覆う導電性のシェルとを含むコネクタにおいて、前記シェルは前記ハウジングの少なくとも三つの面を覆うように形成された本体部と、前記ケーブルを固定するケーブル保持部とを有し、前記本体部は前記ハウジングを前記本体部に組み込んだ際に、折り曲げて前記ハウジングを前記シェルに固定する突部を有し、前記ハウジングは前記突部と係合する係合部を有しているコネクタであることを最も主要な特徴とする。
【発明の効果】
【０００９】
本発明のコネクタによれば、シェルはハウジングの少なくとも三つの面を覆うように形成された本体部と、ケーブルを固定するケーブル保持部とを有し、本体部はハウジングを本体部に組み込んだ際に、折り曲げてハウジングをシェルに固定する突部を有し、ハウジングは突部と係合する係合部を有しているので、部品点数や組立工数を削減でき、組立による接続部分が無くなることにより強度が向上する。
【００１０】
また、本体部に対してハウジングを固定する突部の曲げ加工とケーブルの固定とを同時に行うことによってハーネス工数を削減できる。
【００１１】
さらに、本体部にハウジングを組み込む前には、邪魔になるものがない段階でハウジングに収容したコンタクトにケーブルを結線する作業がでるため、作業性がよく、品質を向上することができる。
【発明を実施するための最良の形態】
【００１２】
本発明のコネクタは、ケーブルと接続する導電性のコンタクトと、該コンタクトを保持するハウジングと、該ハウジングを覆う導電性のシェルとを含むコネクタにおいて、前記シェルは前記ハウジングの少なくとも三つの面を覆うように形成された本体部と、前記ケーブルを固定するケーブル保持部とを有し、前記本体部は前記ハウジングを前記本体部に組み込んだ際に、折り曲げて前記ハウジングを前記シェルに固定する突部を有し、前記ハウジングは前記突部と係合する係合部を有していることにより実現した。
【実施例１】
【００１３】
図１は本発明に係るコネクタの実施例１を示しており、コネクタにケーブルを接続した状態と、コネクタに接続する相手コネクタとを示している。
【００１４】
図１を参照して、コネクタ１１及び相手コネクタ５１は、コネクタ１１をプラグ側として、相手コネクタ５１を機器に固定されるレセプタクル側としている。コネクタは、一軸線Ｘに平行な方向である離脱方向Ａ及び離脱方向Ａとは逆向きの嵌合方向Ｂへ移動することによって相手コネクタ５１に対して嵌合・離脱することが可能である。
【００１５】
なお、相手コネクタ５１が機器に固定されない場合には、嵌合方向Ｂ及び離脱方向Ａでコネクタ１１及び相手コネクタ５１とを相対的に移動させることによって嵌合・離脱が可能なものもある。
【００１６】
図２は図１に示したコネクタを縦方向で断面した状態を示している。図３は図１に示したコネクタを裏側から見た状態を示している。図４は、図１に示したコネクタを分解した状態を示している。
【００１７】
図１乃至図４を参照して、コネクタ１１は、導電性のコンタクト２１と、コンタクト２１を保持している絶縁性のハウジング３１と、ハウジング３１の外周面に保持されている導電性のシェル４１とを有している。
【００１８】
コンタクト２１は、図２において最もよくわかるように、保持部２３と、保持部２３の一端から嵌合方向Ｂへ延びている接触部２５と、保持部２３のもう一端から離脱方向Ａへ延びている接続部２７とを有している。
【００１９】
ハウジング３１は、嵌合方向Ｂ側の先端面である嵌合面３２と、離脱方向Ａの先端面である後面３３と、コンタクト２１を収容するようにハウジング３１内で嵌合面３２及び後面３３間の空間を形成している収容部３４とを有している。
【００２０】
嵌合面３２は、コネクタ１１及び相手コネクタ５１を嵌合・離脱する際に、嵌合方向Ｂ及び離脱方向Ａで相手コネクタ５１に対向する。嵌合面３２からハウジング３１内には、離脱方向Ａに嵌合部３５が形成されている。嵌合部３５は、相手コネクタ５１の相手嵌合部５２を受け入れて相手コンタクト５３をコンタクト２１の接触部２５に接触させる部分である。後面３３はケーブル６１がハウジング３１に導入するように収容部３４に連設している部分である。
【００２１】
さらに、ハウジング３１の嵌合面３２及び後面３３を除く外面には、第１軸線Ｘ及び第１の軸線Ｘを直交する第２軸線Ｙを含む仮想平面に平行な第１の面３６と、第１の面３６に平行に対向している第２の面３７と、第１及び第２の面３６，３７の第２軸線Ｙを直交する一方の辺間を接続している第３の面３８と、第１及び第２の面３６，３７の第２軸線Ｙを直交するもう一方の辺間を接続している第４の面３９とを有している。
【００２２】
第１の面３６と第３の面３８とが交差する部分には、嵌合面３２の近傍にかつ第１の面３６と第３の面３８に跨って第１係合部３１ａが形成されている。第１の面３６と第４の面３９とが交差する部分には、嵌合面３２の近傍にかつ第１の面３６と第４の面３９に跨って第２係合部３１ｂが形成されている。
【００２３】
第１及び第２係合部３１ａ，３１ｂは第１の面３６で第２軸線Ｙ方向において互いに対向している。第１係合部３１ａは、第１及び第３の面３６，３８の面よりも少し落ち込んでおり、凹形状に形成されている。第２係合部３１ｂは、第１及び第４の面３６，３９の面よりも少し落ち込んでおり、凹形状に形成されている。
【００２４】
さらに、第１の面３６と第３の面３８とが交差する部分には、後面３３の近傍にかつ第１の面３６と第３の面３８に跨って第３係合部３１ｃが形成されている。第１の面３６と第４の面３９とが交差する部分には、後面３３の近傍にかつ第１の面３６と第４の面３９に跨って第４係合部３１ｄが形成されている。
【００２５】
第３及び第４係合部３１ｃ，３１ｄは、第１の面３６で第２軸線Ｙ方向において互いに対向している。第３係合部３１ｃは、第１及び第３の面３６，３８の面よりも少し落ち込んでおり、凹形状に形成されている。第４係合部３１ｄは、第１及び第４の面３６，３９の面よりも少し落ち込んでおり凹形状に形成されている。第１の面３６には、第３及び第４係合部３１ｃの近傍に溝形状の被係止部３１ｆ，３１ｇがそれぞれ形成されている。
【００２６】
ハウジング３１には、第１及び第３係合部３１ａ、３１ｃ間でかつ第３の面３８に第１の面３６から第２の面３７の方向へに延びている第１突部３１ｍと、第２及び第４係合部３１ｂａ、３１ｄ間でかつ第４の面３９に第１の面３６から第２の面３７の方向へに延びている第２突部３１ｎとが形成されている。第１突部３１ｍは第３の面３８よりも外側へ突出しており、第２突部３１ｎは第４の面３９よりも外側へ突出している。
【００２７】
ここで、ハウジング３１の第１乃至第４の面３６〜３９を図１の状態で見た場合には、第１の面３６がハウジング３１の上面であり、第２の面３７がハウジング３１の下面であり、第３及び第４の面３８，３９がハウジング３１の一対の側面となり、嵌合面３２及び後面３３を含めてハウジング３１を外観から見ると略直方体形状を呈している。
【００２８】
シェル４１は、本体部４３と、本体部４３の嵌合方向Ｂの端部から一対の連結部４５を介して嵌合方向Ｂへ本体部４３と一体となって連設されて延びているケーブル保持部４６とを有している。
【００２９】
本体部４３は、第１軸線Ｘ及び第１の軸線Ｘを直交する第２軸線Ｙを含む仮想平面に平行な板形状のベース板部４７と、第１軸線Ｘに平行な一方の辺からベース板部４７の一方の辺から直角方向へ曲げられている第１保持板部４８と、第１軸線Ｘに平行な一方の辺からベース板部４７のもう一方の辺から直角方向へ曲げられている第２保持板部４９とを有している。
【００３０】
ベース板部４７は、ハウジング３１の第２の面３７に対向している。第１及び第２保持板部４８，４９のそれぞれは、ハウジング３１の第３及び第４の面３８，３９のそれぞれに一対一に対向している。
【００３１】
第１保持板部４８には、ハウジング３１の第１係合部３１ａに係合する第１シェル突部４８ａが形成されている。第２保持板部４９には、ハウジング３１の第２係合部３１ｂに係合する第２シェル突部４９ａが形成されている。第１保持板部４８には、ハウジング３１の第３係合部３１ｃに係合する第３シェル突部４８ｂが形成されている。第２保持板部４９には、ハウジング３１の第４係合部３１ｄに係合する第４シェル突部４９ｂが形成されている。
【００３２】
さらに、第１保持板部４８には、ハウジング３１の第１突部３１ｍに係合する切り欠き形状の一対の係合受部４８ｆが形成されている。第２保持板部４９には、ハウジング３１の第２突部３１ｎに係合する切り欠き形状の一対の係合受部４９ｆが形成されている。
【００３３】
ベース板部４７には、ベース板部４７を切り起こして形成されている一対の係止片部（係止部）４７ｃ，４７ｄが形成されている。一対の係止片部４７ｃ，４７ｄは、ベース板部４７の外側へかつベース板部４７を略直交する方向へ曲げられている。なお、本体部４３は、図４において第２軸線Ｙ方向で断面して見た場合には、上側が開放されている略コ字形状を呈している。
【００３４】
ケーブル保持部４６は、連結部４５の先端に接続されている底部４６ａと、底部４６ａから互いに対向するように延びている一対の保持片部４６ｂ、４６ｃとを有している。ケーブル保持部４６は、第２軸線Ｙ方向で断面して見た場合には、略Ｕ字形状を呈している。
【００３５】
ケーブル６１は、二本の内部導体６３と、内部導体６３のそれぞれを被覆している絶縁性の第１被覆部６６と、内部導体６３を含む第１被覆部６６を一体に被覆している絶縁性の第２被覆部６７と、第２被覆部６７の外周面に設けられている導電性の外部導体６８と、外部導体６８を被覆している外側被覆部６９とを有している。
【００３６】
コンタクト２１は、ハのウジング３１内に形成されている収容部３３でハウジング３１に収容されて保持されている。コンタクト２１の接続部２７は、ハウジング３１内に導入されているケーブル６１の内部導体６３に接続されている。外部導体６８は端部が外側被覆部６９の外周端部へ折り返されている端部６８ａがケーブル保持部４６に接続されている。
【００３７】
ケーブル保持部４６の底部４６ａと一対の保持片部４６ｂ、４６ｃの内側には、ケーブル６１の端部を置き、ケーブル６１が一対の保持片部４６ｂ、４６ｃを丸め込むように圧接させることによって保持される。この際、一対の保持片部４６ｂ、４６ｃは、外部導体６８の端部６８ａが一対の保持片部４６ｂ、４６ｃに接触することからシェル４７と外部導体６８とが電気的に接続されてシールドされる。
【００３８】
なお、ハウジング３１は、誘電体材料を成型することによって作られている。シェル４１は、導電板をプレスにて所定形状に打ち抜き展開形状を曲げ加工を施すことによって作ることができる。
【００３９】
ハウジング３１にシェル４１を組み付けるには、図２及び図４に示すように、コンタクト２１の接続部２７には、ケーブル６１の内部導体６３と接続し、一対の保持片部４６ｂ、４６ｃがベース板部４７に対して直角方向に曲げられている状態から、コンタクト２１を有するハウジング３１をベース板部４７上に置く。そして、第１乃至第４シェル突部４８ａ，４８ｂ，４９ａ，４９ｂを第１乃至第４係合部３１ａ，３１ｂ、３１ｃ，３１ｄのそれぞれへ折り曲げて一対一に係合する。このとき、ハウジング３１の第１及び第２突部３１ｍ，３１ｎのそれぞれには切り欠き形状の一対の係合受部４８ｆ，４９ｆに嵌め込まれる。
【００４０】
一対の保持片部４６ｂ、４６ｃはケーブル６１の外部導体６８の端部が折り返されている端部６８ａに向けて曲げることによって圧接される。
【００４１】
なお、また、シェル４１の本体部４３に対してハウジング３１を固定するための第１及び第２シェル突部４８ａ，４８ｂ，４９ａ，４９ｂの曲げ加工とケーブル６１とのハーネスとは、これらを同時に行うことが可能である。また、コンタクト２１とケーブル６１の内部導体６３との接続は、第１及び第２シェル突部４８ａ，４９ａの曲げ加工とケーブル６１とのハーネス作業の後に、ベース板部４７の一対の係止片部４７ｃ，４７ｄ間に形成されている開口から接続作業を行うことも可能である。
【００４２】
さらに、複数のコネクタ１１を重ね合わせた状態で一体に使用する場合には、シェル４１の係止片部４７ｃ，４７ｄを、もう一つのコネクタ１１の被係止部３１ｆ，３１ｇに嵌め込むと、係止片部４７ｃ，４７ｄが被係止部３１ｆ，３１ｇと係止する。
【実施例２】
【００４３】
図５は、実施例１によって説明したコネクタ１１を別なハウジングに組み付けた状態を示している。なお、実施例２におけるコネクタ１１は実施例１によって説明したコネクタ１１を用いるので、同じ部分には同じ符号を付して説明を省略する。
【００４４】
図５を参照して、ハウジング７３には、コネクタ１１を収容するための付加収容部７４が形成されている。付加収容部７４は嵌合側の付加嵌合面７３ａに形成されている付加嵌合部７３ｂと、付加嵌合部７３ｂの嵌合方向Ａ側で付加ハウジング７３の底部７３ｃから付加収容部７４内において嵌合方向Ｂへ延びているランス７５とを有している。
【００４５】
ケーブル６１を接続したコネクタ１１は、嵌合面３２を前方として、ハウジング７３の後面７３ｅから付加収容部７４へ挿入される。このとき、コネクタ１１は、シェル４１のベース板部４７の外面がランス７５をハウジング７３の底部７３ｃへ向けて撓ませるようにして押圧しながらか嵌合方向Ｂへ移動する。
【００４６】
そして、嵌合部３５が付加嵌合部７３ｂに位置したときに、ランス７５は、シェル４１の係止片部４７ｃ，４７ｄ間に入り込み係合するので、ハウジング７３からコネクタ１１が嵌合方向Ｂへの引き抜きかれることが阻止される。
【００４７】
なお、実施例２では、ハウジング７３として説明したが、このハウジング７３にコンタクトを保持しているコネクタであっても、付加収容部７４を形成することによってコネクタ１１をハウジング７３内に保持することができる。
【実施例３】
【００４８】
図６は、本発明に係るコネクタ１１の実施例３を示している。なお、この実施例３におけるコネクタ１１では、実施例１によって説明したケーブル６１を接続するシェル４１のケーブル保持部４６の構成が異なるので、実施例１と同じ他の部分の説明を同じ符号を付して省略する。
【００４９】
本体部４３から一対の連結部４５を介して連設しているケーブル保持部８０は、側面略Ｌ字状に曲げられており、先端からスリット８１が形成されており、このスリット８１を形成したことにより形成された二つの圧入片部８３ａ、８３ｂを有する。ケーブル６１は外側被覆部６９からスリット８１の圧入片部８３ａ、８３ｂへ圧入されることによって外部導体部６８に接続して保持される。
【実施例４】
【００５０】
図７は、本発明に係るコネクタの実施例４を示している。なお、この実施例４においては、実施例１によって説明したコネクタ１１と同じ部分に同じ符号を付して説明を省略する。
【００５１】
図７を参照して、コネクタ１１１は、図２に示した実施例１と同様な導電性のコンタクト２１と、コンタクト２１を保持している絶縁性のハウジング１３１と、ハウジング１３１の外周面に保持されている導電性のシェル１４１とを有している。
【００５２】
ハウジング１３１は、ハウジング１３１の嵌合方向Ｂ側の先端面である嵌合面１３２と、離脱方向Ａの先端面である後面１３３と、コンタクト２１を収容するようにハウジング１３１内で嵌合面１３２及び後面１３３間に形成されている収容部（図２における収容部３４と同様な収容部）とを有している。
【００５３】
嵌合面１３２は、コネクタ１１１及び図１に示した相手コネクタ５１を嵌合・離脱する際に、嵌合方向Ｂ及び離脱方向Ａで相手コネクタ５１に対向する。嵌合面１３２には、嵌合部１３５が形成されている。嵌合部１３５は、相手コネクタ５１の相手嵌合部５２を受け入れて相手コンタクト５３をコンタクト２１の接触部（図２示した接触部２５を参照）に接触させる部分である。後面１３３はケーブル６１がハウジング１３１に導入する部分である。
【００５４】
さらに、ハウジング１３１の外面には、第１軸線Ｘ及び第１の軸線Ｘを直交する第２軸線Ｙを含む仮想平面に平行な第１の面１３６と、第１の面１３６に平行に対向している第２の面１３７と、第１及び第２の面１３６，１３７の第２軸線Ｙを直交する一方の辺間を接続している第３の面１３８と、第１及び第２の面１３６，１３７の第２軸線Ｙを直交するもう一方の辺間を接続している第４の面１３９とを有している。
【００５５】
第３の面１３８には、嵌合面１３２の近傍に、かつ第１の面１３６の近傍に第１突部１３８ａが形成されている。第４の面１３９には、嵌合面１３２の近傍に、かつ第１の面１３６の近傍に第２突部１３９ａが形成されている。
【００５６】
第１突部１３８ａの嵌合方向Ｂにおける後側には、第１の面１３６と第３の面１３８に跨って第１係合部１３８ｂが形成されている。第２突部１３９ａの後側には、第１の面１３６と第４の面１３９に跨って第２係合部１３９ｂが形成されている。
【００５７】
第１係合部１３８ｂは、第１及び第３の面１３６，１３８の面よりも少し落ち込んでおり、凹形状に形成されている。第２係合部１３９ｂは、第１及び第４の面３６，３９の面よりも少し落ち込んでおり凹形状に形成されている。
【００５８】
さらに、第１の面１３６と第３の面１３８とが交差する部分には、後面１３３の近傍にかつ第１の面１３６と第３の面１３８に跨って第３係合部１３１ｃが形成されている。第１の面１３６と第４の面１３９とが交差する部分には、後面１３３の近傍にかつ第１の面１３６と第４の面１３９に跨って第４係合部１３１ｄが形成されている。第３及び第４係合部１３１ｃ，１３１ｄは、第１の面１３６で第２軸線Ｙ方向において互いに対向している。第３係合部１３１ｃは、第１及び第３の面１３６，１３８の面よりも少し落ち込んでおり、凹形状に形成されている。第４係合部１３１ｄは、第１及び第４の面１３６，１３９の面よりも少し落ち込んでおり凹形状に形成されている。第１の面１３６には、第３及び第４係合部１３１ｃ，１３１ｄの近傍に溝形状の被係止部１３１ｆ，１３１ｇがそれぞれ形成されている。  ここで、ハウジング１３１の第１乃至第４の面１３６〜１３９を図１の状態で見た場合には、第１の面１３６がハウジング１３１の上面であり、第２の面１３７がハウジング１３１の下面であり、第３及び第４の面１３８，１３９がハウジング３１の側面となり、嵌合面１３２及び後面１３３を含めてハウジング１３１を外観から見ると略直方体形状を呈している。
【００５９】
シェル１４１は、本体部１４３と、本体部１４３の嵌合方向Ｂの端部から一対の連結部１４５を介して離脱方向Ａへ本体部１４３と一体となって連設されて延びているケーブル保持部１４６とを有している。
【００６０】
本体部１４３は、第１軸線Ｘ及び第１の軸線Ｘを直交する第２軸線Ｙを含む仮想平面に平行な板形状のベース板部１４７と、第１軸線Ｘに平行な一方の辺からベース板部１４７の一方の辺から直角方向へ曲げられている第１保持板部１４８と、第１軸線Ｘに平行な一方の辺からベース板部１４７のもう一方の辺から直角方向へ曲げられている第２保持板部１４９とを有している。
【００６１】
ベース板部１４７は、ハウジング１３１の第２の面１３７に対向している。第１及び第２保持板部１４８，１４９のそれぞれは、ハウジング１３１の第３及び第４の面１３８，１３９のそれぞれに一対一に対向している。
【００６２】
第１保持板部１４８には、ハウジング１３１の嵌合部１３５の外周部分を挿入するための第１シェル係合部１４８ａが形成されている。第２保持板部１４９には、ハウジング１３１の嵌合部１３５の外周部分を挿入するための第２シェル係合部１４９ａが形成されている。第１シェル係合部１４８ａ及び第２シェル係合部１４９ａは、ベース板部１４７に対して平行に曲げられている部分であり、先端同士が合されている。したがって、第１及び第２保持板部１４８，１４９、ベース板部１４７、第１及び第２シェル係合部１４８ａ，１４９ａによって囲まれた部分は筒形状を呈している。
【００６３】
第１シェル係合部１４８ａの嵌合方向Ｂにおける近傍には、ハウジング１３１の第１突部１３８ａに係合する切り欠き形状の第１シェル受部１４８ｂが形成されている。第２シェル係合部１４９ａの嵌合方向Ｂにおける近傍には、ハウジング１３１の第２突部１３９ａに係合する切り欠き形状の第２シェル受部１４９ｂが形成されている。
【００６４】
第１保持板部１４８には、ハウジング１３１の第１係合部１３８ｂに係合する第１シェル突部１４８ｄが第１保持板部１４８から延びている。第２保持板部１４９には、ハウジング１３１の第２係合部１３９ｂに係合する第２シェル突部１４９ｄが第２保持板部１４９から延びている。
【００６５】
また、ベース板部１４７には、ベース板部１４７を切り起こして形成されている一対の係止片部（係止部）１４７ｃ，１４７ｄが形成されている。一対の係止片部１４７ｃ，１４７ｄは、ベース板部１４７の外側へかつベース板部１４７を略直交する方向へ曲げられている。
【００６６】
なお、シェル１４１のベース板部１４７に連結部１４５を介して連結されているケーブル保持部１４６、ケーブル保持部１４６の底部１４６ａ、底部１４６ａから互いに対向するように延びている一対の保持片部１４６ｂ、１４６ｃは、図４において説明したケーブル保持部４６の連結部４５、底部４６ａ、一対の保持片部４６ｂ、４６ｃと同じ形状である。
【００６７】
ハウジング３１にシェル１４１を組み付けるには、一対の保持片部１４６ｂ、１４６ｃがベース板部１４７に対して直角方向に曲げられている状態から、ケーブル６１を接続したコンタクト２１を有するハウジング１３１をベース板部１４７上に置く。そして、ハウジング１３１は、嵌合部１３５の外周部分がベース板部１４７と第１及び第２シェル係合部１４８ａ、１４９ａ間に挿入される。
【００６８】
このとき、シェル１４１の第１シェル受部１４８ｂと第２シェル受部１４９ｂにハウジング１３１の第１突部１３８ａ及び第２突部１３９ａを係合させ、
ハウジング１３１の第１係合部１３８ｂ及び第２係合部１３９ｂには、第１シェル突部１４８ｄ及び第２シェル突部１４９ｄを折り曲げて係合させる。
【００６９】
一対の保持片部１４６ｂ、１４６ｃは、図２に示したケーブル１６１の外部導体６８の端部が折り返されている端部６８ａに向けて曲げることによって圧接される。
【００７０】
さらに、複数のコネクタ１１１を重ね合わせた状態で一体に使用する場合には、シェル４１の係止片部１４７ｃ，１４７ｄは、もう一つのコネクタ１１１の被係止部１３１ｆ，１３１ｇに嵌め込むことにより、係止片部１４７ｃ，１４７ｄが被係止部１３１ｆ，１３１ｇと係合させる。
【産業上の利用可能性】
【００７１】
本発明に係るコネクタは、自動車などの電機装置へのワイヤーハーネスなどのケーブルの接続やアンテナへシールドケーブルを中継接続するシールドコネクタとしての用途にも適用できる。
【図面の簡単な説明】
【００７２】
【図１】本発明に係るコネクタを示す斜視図である（実施例１）。
【図２】図１に示したコネクタ及びコネクタに接続したケーブルの断面図である。
【図３】図１に示したコネクタを裏側から見た状態を示した斜視図である。
【図４】図１に示したコネクタを分解して示した斜視図である。
【図５】本発明に係るコネクタを示す断面図である（実施例２）。
【図６】本発明に係るコネクタを示す斜視図である（実施例３）。
【図７】本発明に係るコネクタを分解して示した斜視図である（実施例４）。
【符号の説明】
【００７３】
１１，１１１    コネクタ
２１    コンタクト
２５    接触部
３１，１３１    ハウジング
３１ａ，１３８ｂ    第１係合部
３１ｂ，１３９ｂ    第２係合部
３１ｃ、１３１ｃ    第３係合部
３１ｄ，１３１ｄ    第４係合部
３１ｆ，３１ｇ、１３１ｆ，１３１ｇ    被係止部
３１ｍ，１３８ａ    第１突部
３１ｎ，１３９ａ    第２突部
３２，１３２    嵌合面
３３，１３３    後面
３４    収容部
３５    嵌合部
３６，１３６    第１の面
３７，１３７    第２の面
３８，１３８    第３の面
３９，１３９    第４の面
４１，１４１    シェル
４３    本体部
４５    連結部
４６，１４６    ケーブル保持部
４７，１４７    ベース板部
４８，１４８    第１保持板部
４８ａ    第１シェル突部
４８ｂ    第３シェル突部
４９，１４９    第２保持板部
４９ａ    第２シェル突部
４９ｂ    第４シェル突部
４６ｂ、４６ｃ    保持片部
４７ｃ，４７ｄ，１４７ｃ，１４７ｄ    係止片部
４８ｆ    係合受部
４９ｆ    係合受部
５１    相手コネクタ
５３    相手コンタクト
６１    ケーブル
７３    ハウジング
７３ａ    付加嵌合面
７３ｂ    付加嵌合部
７３ｃ    底部
７４    付加収容部
７５    ランス
８３ａ、８３ｂ    圧入片部
８１    スリット
１４８ａ    第１シェル係合部
１４８ｂ    第１シェル受部
１４９ａ    第２シェル係合部
１４９ｂ    第２シェル受部
Ａ    嵌合方向
Ｂ    離脱方向
Ｘ    第１軸線
Ｙ    第２軸線
【図１】
2006147359.tif 000003
【図２】
2006147359.tif 000004
【図３】
2006147359.tif 000005
【図４】
2006147359.tif 000006
【図５】
2006147359.tif 000007
【図６】
2006147359.tif 000008
【図７】
2006147359.tif 000009